(57)【要約】      （修正有）【課題】磁力吸着によって直立に置くことができる電子機器の保護カバーを提供する。【解決手段】裏蓋１と遮蔽プレート２とからなる。裏蓋は、四辺形を呈するとともに、電子機器の背面部に取り付けられる。裏蓋には、第一折り線１２が設けられるとともに、前記第一折り線を中心として固定部１３と屈折部１４とが形成される。固定部は、電子機器に固定される。屈折部は、少なくとも一つの磁性素子１７が設けられることにより、電子機器の背面に吸着される。遮蔽プレートは、裏蓋の一側辺に接続されるとともに、裏蓋の折り線と平行する。屈折部は、磁性素子によって外へ向かって迅速に折り返されるとともに電子機器と離されることにより、電子機器が直立に置かれた時の支えとなると同時に、屈折角度の調整によって電子機器の仰角を制御することができる。【選択図】図１
0003183412.tif 000002
【実用新案登録請求の範囲】
【請求項１】
四辺形を呈するとともに電子機器の背面部に取り付けられる裏蓋と、遮蔽プレートとからなる、磁力吸着によって直立に置くことができる電子機器の保護カバーであって、
前記裏蓋は、四つの側壁と、第一折り線と、固定部と、屈折部と、第一係合部と、第二係合部と、磁性素子とからなり、
前記固定部と前記屈折部とは、それぞれ前記第一折り線を中心として形成され、
前記第一係合部は、前記固定部の相対する位置の二つの角にそれぞれ設けられ、
前記第二係合部は、前記固定部の二側辺の相対する位置にそれぞれ設けられ、
前記磁性素子は、前記裏蓋における前記屈折部と対応する位置に少なくとも一つ設けられ、
前記固定部は前記第一係合部と前記第二係合部によって前記電子機器に固定され、前記屈折部は、前記磁性素子によって電子機器に吸着し、前記遮蔽プレートは、前記裏蓋の一側辺に接続されるとともに前記裏蓋の前記磁性素子と隣り合って設けられ、前記遮蔽プレートと前記裏蓋が接続される側辺は前記第一折り線と平行することを特徴とする、磁力吸着によって直立に置くことができる電子機器の保護カバー。
【請求項２】
前記裏蓋には、少なくとも一つの開孔が設けられることを特徴とする、請求項１に記載の磁力吸着によって直立に置くことができる電子機器の保護カバー。
【請求項３】
前記遮蔽プレートには、少なくとも一つの係止溝が設けられ、前記係止溝は前記裏蓋の第一折り線と平行することを特徴とする、請求項１に記載の磁力吸着によって直立に置くことができる電子機器の保護カバー。
【請求項４】
前記遮蔽プレートには、前記係止溝と前記裏蓋の側壁と接続される位置の間に第二折り線が設けられ、前記第二折り線と前記裏蓋の前記第一折り線は平行し、前記遮蔽プレートには、前記第二折り線と前記裏蓋の側壁と接続される位置の間に折り畳み部が設けられることを特徴とする、請求項３に記載の磁力吸着によって直立に置くことができる電子機器の保護カバー。
【考案の詳細な説明】
【技術分野】
【０００１】
本考案は、電子機器に装着して保護するために用いられる電子機器の保護カバーに関し、特に、磁力吸着によって直立に置くことができる、電子機器の保護カバーに関する。
【背景技術】
【０００２】
タブレット型パソコンを収納するのに用いられる従来の保護カバーは、タブレット型パソコンを完全に包み込むことによって、確かに、振動耐性を強化したり、外観の破損や擦過から守ったりすることができる。しかし、使用者は、従来の保護カバーを使う時、タブレット型パソコンを保護カバーに収納したり、取り出したりといった手順を繰り返す必要があり、使用上の不便さを招くだけでなく、タブレット型パソコンが保護カバーから取り出される時、保護カバーがタブレット型パソコンと離れてしまうことにより、往々にして使用者が保護カバーを見落としたり、遺失したりするという事態が起こり得る。加えて、タブレット型パソコンがマルチメディアの音声や映像（例えば、音楽、映像、映画、及びその他の音声・映像情報）を再生することができるのに対し、従来の保護カバーはタブレット型パソコンを直立に支えて置くための機能を備えていないため、使用者が長時間にわたって手でタブレット型パソコンを支えておかねばならず、手やその他の部位に筋肉疲労を引き起こす。
【考案の概要】
【考案が解決しようとする課題】
【０００３】
本考案は、電子機器に装着して保護することができるとともに、磁力吸着によって直立に置くことができる電子機器の保護カバーを提供することを目的とする。
【課題を解決するための手段】
【０００４】
本考案の保護カバーは、裏蓋と、遮蔽プレートとからなる。前記裏蓋は、四辺形を呈するとともに、同形状の電子機器の背面部に取り付けられる。前記裏蓋には、第一折り線が設けられるとともに、前記第一折り線を中心として固定部と屈折部とが形成される。前記固定部は、電子機器の辺縁に係止される第一係合部と第二係合部が設けられることにより、電子機器の背面に固定することができる。前記屈折部は、少なくとも一つの磁性素子が設けられることにより、電子機器の背面に吸着させることができる。前記遮蔽プレートは前記裏蓋の一側辺に接続されるとともに、前記裏蓋の折り線と平行する。以上により、前記裏蓋を電子機器の背面部に取り付けると同時に、前記遮蔽プレートを前記裏蓋の正面に配置すると、電子機器の表面が前記遮蔽プレートに覆われて、電子機器を完全に包んで保護することができる。よって、使用者は、前記遮蔽プレートをめくって開けるだけで、電子機器の操作を行うことができるようになる。加えて、電子機器が直立に置かれた時、前記裏蓋の前記屈折部を外へ向かって素早く折り返して電子機器と分離することにより、前記屈折部が、電子機器が直立に置かれた状態の時の支えとなる。同時に、前記屈折部の屈折角度の調整によって、相対的に電子機器が直立に置かれた時の仰角を制御することができるため、電子機器を直立に置くという機能を兼ね備えることができる。
【図面の簡単な説明】
【０００５】
【図１】本考案の保護カバーの構造の展開概略図である。
【図２】本考案の保護カバーの構造の使用例の概略図である。
【図３】本考案の保護カバーの構造の実施例１の概略図である。
【図４】本考案の保護カバーの構造の実施例２の概略図である。
【図５】本考案の保護カバーの構造の実施例３の概略図である。
【図６】本考案の保護カバーの構造の実施例３の側面図である。
【図７】本考案の保護カバーの構造の実施例４の側面図である。
【考案を実施するための形態】
【０００６】
図１、図２を参照する。本考案の磁力吸着によって直立に置くことができる電子機器の保護カバーは、特に電子機器３に取り付けて用いられるとともに、裏蓋１と、遮蔽プレート２とからなる。
【０００７】
裏蓋１は、電子機器３の背面部に取り付けるのに用いられる。裏蓋１は四辺形を呈するとともに、同形状の電子機器３の背面部に取り付けられる。裏蓋１の四側辺はそれぞれ上に向かって伸びて側壁１１を形成する。また、裏蓋１には、第一折り線１２が設けられるとともに、第一折り線１２を中心として固定部１３と屈折部１４とが形成される。裏蓋１には、固定部１３の相対する位置の二つの角にそれぞれ第一係合部１５が設けられ、固定部１３の二側辺の相対する位置にそれぞれ第二係合部１６が設けられ、屈折部１４と対応する位置に少なくとも一つの磁性素子１７が設けられる。裏蓋１に設けられた少なくとも一つの磁性素子１７によって、屈折部１４を電子機器３の背面に付着させることができる。また、裏蓋１には、電子機器３の機能と部品配置の位置に合わせて（例えば、カメラレンズ、或いは、スピーカー、その他の機能を持つ部品の配置）、少なくとも一つの開孔１８が設けられる。
【０００８】
遮蔽プレート２は、裏蓋１の一側辺に接続されるとともに、裏蓋１の磁性素子１７と隣り合って設けられることにより、遮蔽プレート２と裏蓋１が接続される側辺が裏蓋１の第一折り線１２と平行する。遮蔽プレート２は、めくり開けられることにより、裏蓋１の正面、或いは、背面に相対して位置する。遮蔽プレート２には、少なくとも一つの係止溝２１が設けられる。係止溝２１は、裏蓋１の第一折り線１２と平行して対応する。その他、遮蔽プレート２は、係止溝２１と裏蓋１の側壁１１と接続される位置との間に、第二折り線２２が設けられる。第二折り線２２は、裏蓋１の第一折り線１２と平行して対応する。遮蔽プレート２は、第二折り線２２と裏蓋１の側壁１１と接続される位置との間に、折り畳み部２３が設けられる。
【０００９】
裏蓋１の固定部１３に設けられた第一係合部１５と第二係合部１６を、それぞれ電子機器３の辺縁に係止することにより、固定部１３を電子機器３に固定することができる。また、裏蓋１の屈折部１４に設けられた磁性素子１７によって、裏蓋１の屈折部１４を電子機器３の背面に付着させることができる（図３、図４に図示）。
【００１０】
上述のように、裏蓋１を電子機器３の背面部に取り付けた時、裏蓋１に設けられた側壁１１によって、電子機器３の周辺が覆い包まれる。しかも、遮蔽プレート２は、裏蓋１の正面に位置する時、電子機器３の表面を覆うことにより、電子機器３を完全に覆い包んで保護する。以上により、電子機器３は、振動耐性が強化され、外観の破損や擦過から守られる。また、使用者は使用時に、遮蔽プレート２をめくり開けるだけで、電子機器３を操作することができるようになり、使用上の高い利便性が提供される。
【００１１】
（実施例１、実施例２、実施例３）
図３、図４、図５、図６を参照する。電子機器３が直立に置かれた時、裏蓋１を第一折り線１２の位置で折り曲げることにより（即ち、裏蓋１の屈折部１４を外側へと折り曲げることにより）、屈折部１４に設けられた磁性素子１７によって、屈折部１４が外へ向かって素早く折り返されるとともに電子機器３と分離する。この時、裏蓋１の屈折部１４は電子機器３が直立に置かれた時の支えとなる。また、電子機器３が裏蓋１の側辺から離されている状態の時（即ち、遮蔽プレート２の係止溝２１に固定されている時）、屈折部１４の屈折角度の調整によって、相対的に電子機器３が直立に置かれた時の仰角を制御することができるため、電子機器３を直立に置くという機能を兼ね備えることができる。
【００１２】
（実施例４）
図７を参照する。電子機器３が直立に置かれた時、遮蔽プレート２の折り畳み部２３は、第二折り線２２の位置で折り曲げられるとともに、遮蔽プレート２の上に折り重ねることができる。以上により、電子機器３が直立に置かれた時の裏蓋１の屈折部１４の仰角を更に調整することができる。
【符号の説明】
【００１３】
１            裏蓋
１１   側壁
１２   第一折り線
１３   固定部
１４   屈折部
１５   第一係合部
１６   第二係合部
１７   磁性素子
１８   開孔
２            遮蔽プレート
２１   係止溝
２２   第二折り線
２３   折り畳み部
３            電子機器
【図１】
0003183412.tif 000003
【図２】
0003183412.tif 000004
【図３】
0003183412.tif 000005
【図４】
0003183412.tif 000006
【図５】
0003183412.tif 000007
【図６】
0003183412.tif 000008
【図７】
0003183412.tif 000009